(57)【要約】    【課題】      被試験装置であるファクシミリ装置側で人の操作が不要で、且つ試験用の特別な装置を必要とせず、ファクシミリ装置に対する動作指示、測定等を自動的に行い、試験効率の向上と試験コストの低減を図るファクシミリ試験システムを提供すること。    【解決手段】  ＰＣ２０１は、トーナル信号の送出継続時間（指示情報）を含むＰＢ指示信号の送出指示を行い、切換／保護回路２０２ｃを介してＰＢ指示信号をファクシミリ装置３０１に送出する。ファクシミリ装置３０１内のＣＰＵ３１３は、モデム３１２からＰＢ指示データが入力されると、そのデータを解析して指示内容を認識し、トーナル信号の送出継続時間を設定した送出指示をモデム３１２に出力する。モデム３１２は、ＣＰＵ３１３から入力される送出指示に応じて、トーナル信号をリモート試験装置２００に送出する。  【選択図】      図３
2006270802.tif 000002
【特許請求の範囲】
【請求項１】
リモート試験装置と被試験装置であるファクシミリ装置とが電話回線を介して接続されるファクシミリ試験システムであって、
前記リモート試験装置は、
前記ファクシミリ装置の動作を指示する指示情報を設定した試験信号の送出指示を実行する制御手段と、
前記試験信号の送出指示に応じて前記指示情報を設定した試験信号を前記ファクシミリ装置に送出する送出手段と、
前記試験信号に応じて前記ファクシミリ装置から送出される応答信号を測定する測定手段と、を備え、
前記ファクシミリ装置は、
前記リモート試験装置から送出される前記試験信号を受信する受信手段と、
前記受信した試験信号に設定された指示情報に基づいて自装置の動作を制御し、その動作に応じた応答信号の送出指示を実行する制御手段と、
前記送出指示に応じた応答信号を前記リモート試験装置に送出する送出手段と、を備えることを特徴とするファクシミリ試験システム。
【請求項２】
前記リモート試験装置の制御手段は、前記ファクシミリ装置との間の回線を閉結した後、直ちに前記試験信号の送出指示を実行し、
前記ファクシミリ装置の制御手段は、前記リモート試験装置との間の回線を閉結した後、前記試験信号を受信するための受信時間を設定することを特徴とする請求項１記載のファクシミリ試験システム。
【発明の詳細な説明】
【技術分野】
【０００１】
本発明は、ファクシミリ装置のファクシミリ試験システムに関し、特に、ファクシミリ通信制御信号によりファクシミリ装置の動作を試験するファクシミリ試験システムに関する。
【背景技術】
【０００２】
従来、ファクシミリ装置の動作を試験する際には、試験対象のファクシミリ装置（被試験装置）を人が操作して装置設定の変更、信号の送出等を指示して、被試験装置の動作を検査していたが、このような検査は時間がかかり、測定結果の確認も人が行う必要があり、非常に効率が悪かった。
【０００３】
このような課題を解決するものとして、例えば、特許文献１に記載されたファクシミリ検査システムが提案されている。このファクシミリ検査システムでは、複数の検査装置を電話回線を介して複数の被試験装置と接続し、被試験装置側からファクシミリ通信信号を発信し、その信号を被試験装置が識別することにより、複数の検査装置を切り換えて検査を実施するようにしている。
【特許文献１】特開２００４−２２２２１０号公報
【発明の開示】
【発明が解決しようとする課題】
【０００４】
しかしながら、上記従来のファクシミリ検査システムの構成では、各被試験装置側に検査用の信号を切り換えて出力する手段として、例えば、回線接続検知回路が必要となり、ファクシミリ装置の製造ラインにおいて検査を行う場合には、その検査コストがファクシミリ装置の製造コストに大きく影響を与えることになる。すなわち、検査のみに用いられる回路が被試験装置側に搭載する必要があるため、ファクシミリ装置の製造コストを上昇させる原因となる。
【０００５】
本発明は以上のような実情に鑑みてなされたもので、被試験装置であるファクシミリ装置側で人の操作が不要で、且つ試験用の特別な装置を必要とせず、ファクシミリ装置に対する動作指示、測定等を自動的に行い、試験効率の向上と試験コストの低減を図るファクシミリ試験システムを提供することを目的とする。
【課題を解決するための手段】
【０００６】
本発明は、リモート試験装置と被試験装置であるファクシミリ装置とが電話回線を介して接続されるファクシミリ試験システムであって、前記リモート試験装置は、前記ファクシミリ装置の動作を指示する指示情報を設定した試験信号の送出指示を実行する制御手段と、前記試験信号の送出指示に応じて前記指示情報を設定した試験信号を前記ファクシミリ装置に送出する送出手段と、前記試験信号に応じて前記ファクシミリ装置から送出される応答信号を測定する測定手段と、を備え、前記ファクシミリ装置は、前記リモート試験装置から送出される前記試験信号を受信する受信手段と、前記受信した試験信号に設定された指示情報に基づいて自装置の動作を制御し、その動作に応じた応答信号の送出指示を実行する制御手段と、前記送出指示に応じた応答信号を前記リモート試験装置に送出する送出手段と、を備える構成を採る。
【発明の効果】
【０００７】
本発明によれば、従来のようにファクシミリ装置側で試験項目に応じた人の操作が不要になり、試験用の構成が不要となり、ファクシミリ装置に対する試験動作や測定を自動的に実行できるため、ファクシミリ装置の試験効率を向上することができ、試験コストを低減することができる。
【発明を実施するための最良の形態】
【０００８】
本発明の第１の態様は、リモート試験装置と被試験装置であるファクシミリ装置とが電話回線を介して接続されるファクシミリ試験システムであって、前記リモート試験装置は、前記ファクシミリ装置の動作を指示する指示情報を設定した試験信号の送出指示を実行する制御手段と、前記試験信号の送出指示に応じて前記指示情報を設定した試験信号を前記ファクシミリ装置に送出する送出手段と、前記試験信号に応じて前記ファクシミリ装置から送出される応答信号を測定する測定手段と、を備え、前記ファクシミリ装置は、前記リモート試験装置から送出される前記試験信号を受信する受信手段と、前記受信した試験信号に設定された指示情報に基づいて自装置の動作を制御し、その動作に応じた応答信号の送出指示を実行する制御手段と、前記送出指示に応じた応答信号を前記リモート試験装置に送出する送出手段と、を備える構成を採る。
【０００９】
この構成によれば、従来のようにファクシミリ装置側で試験項目に応じた人の操作が不要になり、試験用の構成が不要となり、ファクシミリ装置に対する試験動作や測定を自動的に実行できるため、ファクシミリ装置の試験効率を向上することができ、試験コストを低減することができる。
【００１０】
本発明の第２の態様は、第１の態様のファクシミリ試験システムにおいて、前記リモート試験装置の制御手段は、前記ファクシミリ装置との間の回線を閉結した後、直ちに前記試験信号の送出指示を実行し、前記ファクシミリ装置の制御手段は、前記リモート試験装置との間の回線を閉結した後、前記試験信号を受信するための受信時間を設定する構成を採る。
【００１１】
この構成によれば、リモート試験装置が試験信号を送出するまでの時間を短縮し、従来に比べて試験工程に要する時間を短縮することが可能になるため、製造ラインに流れるファクシミリ装置台数分の試験工程も短縮することが可能になり、試験工程が製造コストに与える影響を低減することができる。
【００１２】
以下、本発明の実施の形態について図面を参照して詳細に説明する。
【００１３】
図１は本実施の形態のファクシミリ試験システムの全体構成を示す図である。図１において、ファクシミリ試験システム１００は、リモート試験装置２００と被試験装置であるファクシミリ装置３０１を接続するテストパレット３００とから構成される。リモート試験装置２００は、パーソナルコンピュータ（以下、ＰＣという）２０１と、ダイヤラー２０２ａ、疑似交換機２０２ｂ及び切換／保護回路２０２ｃからなる起動信号発生器２０２と、測定器２０３とから構成される。
【００１４】
ＰＣ２０１は、起動信号発生器２０２及び測定器２０３と接続するためのインターフェース部（図示せず）を内蔵し、そのインターフェース部から制御ケーブルＬ１〜Ｌ３を介して、起動信号発生器２０２内のダイヤラー２０２ａ及び切換／保護回路２０２ｃと接続するとともに、測定器２０３と接続する。ＰＣ２０１は、内蔵メモリ（図示せず）に記憶するファクシミリ試験プログラムに基づいて、起動信号発生器２０２内のダイヤラー２０２ａ及び切換／保護回路２０２ｃの各動作を制御して、被試験装置であるファクシミリ装置３０１へのファクシミリ通信制御信号の送信指示を制御するとともに、測定器２０３の測定動作等を制御する。なお、ＰＣ２０１は、制御手段として機能する。
【００１５】
起動信号発生器２０２では、ダイヤラー２０２ａの入力端が制御ケーブルＬ２を介してＰＣ２０１のインターフェース部と接続され、その出力端が内部配線Ｎ１を介して疑似交換機２０２ｂと接続され、疑似交換機２０２ｂの出力端が内部配線Ｎ２を介して切換／保護回路２０２ｃと接続され、切換／保護回路２０２ｃの制御端が制御ケーブルＬ１を介してＰＣ２０１のインターフェース部と接続され、その２つの出力端のうち一方の出力端がモジュラー端子２０２ｄ及び電話回線Ｌ４を介して外部のテストパレット３００と接続され、その他方の出力端がモジュラー端子２０２ｅ及び電話回線Ｌ５を介して測定器２０３と接続されている。なお、起動信号発生器２０２は、送出手段として機能する。
【００１６】
測定器２０３は、一方の入力端が制御ケーブルＬ３を介してＰＣ２０１のインターフェース部と接続され、他方の入力端であるＬＡＮ端子２０３ａが電話回線Ｌ５を介して疑似交換機２０２ｂと接続されている。なお、測定器２０３は、測定手段として機能する。
【００１７】
ダイヤラー２０２ａは、電話機のプッシュボタンに相当するキー配列（テンキー、＊キー、＃キー、Ａ〜Ｄキー）を備え、そのプッシュボタン操作に対応するＰＢ信号等のファクシミリ通信制御信号を出力する装置であり、ＰＣ２０１から入力される試験制御信号に基づいて、被試験装置であるファクシミリ装置３０１に送出するファクシミリ通信制御信号を疑似交換機２０２ｂに出力する。
【００１８】
疑似交換機２０２ｂは、ダイヤラー２０２ａから入力されるファクシミリ通信制御信号に基づいて、電話回線Ｌ４を介して接続されたテストパレット３００上の被試験装置であるファクシミリ装置３０１との間の回線を閉結又は開放する疑似交換動作を実行する。
【００１９】
切換／保護回路２０２ｃは、ＰＣ２０１から入力される切換制御信号に基づいて、疑似交換機２０２ｂの出力端をモジュラー端子２０２ｄに接続するか、又はモジュラー端子２０２ｄに接続された電話回線Ｌ４を測定器２０３に接続するかを切り換える動作を行う。また、切換／保護回路２０２ｃは、電話回線Ｌ４を介して外部から侵入するノイズ信号等の外乱信号からリモート試験装置２００内部を保護する保護機能を有する。
【００２０】
測定器２０３は、被試験装置であるファクシミリ装置３０１から受信する応答信号の継続時間や応答信号の周波数や振幅レベル等を測定し、その測定結果が許容範囲かを判定する。
【００２１】
テストパレット３００は、電話回線Ｌ４とファクシミリ装置３０１のモジュラー端子（図示せず）に接続される電話回線Ｌ６と接続するためのモジュラーユニット３００ａを備える。
【００２２】
ファクシミリ装置３０１は、図２に示す内部構成のように、ＤＡＡ（ダイレクト・アクセス・アレンジメント）部３１１と、モデム３１２と、ＣＰＵ３１３と、プログラムメモリ３１４と、設定情報メモリ３１５とから主に構成される。ＤＡＡ３１１は、電話回線Ｌ４と接続されるとともに、信号送出経路Ｌ８によりモデム３１２と接続される。モデム３１２は、電話回線Ｌ４から分岐する着信検出経路Ｌ７と接続されるとともに、ＤＡＡ３１１と信号送出経路Ｌ８と接続される。また、モデム３１２、ＣＰＵ３１３、プログラムメモリ３１４及び設定情報メモリ３１５は、バス３１６を介して相互に接続される。
【００２３】
ＤＡＡ３１１は、電話回線Ｌ４とモデム３１２との間のインターフェースをとるためのフロントエンド回路である。モデム３１２は、ＤＡＡ３１１を介して電話回線Ｌ４から受信するファクシミリ通信制御信号をデジタルデータに変換してＣＰＵ３１３に出力するとともに、ＣＰＵ３１３から入力されるデジタルデータをファクシミリ通信制御信信号に変換してＤＡＡ３１１を介して電話回線Ｌ４に送出する機能を有する。なお、モデム３１２は、受信手段及び送信手段として機能する。
【００２４】
ＣＰＵ（Central Processing Unit ）３１３は、プログラムメモリ３１４に記憶されたファクシミリ通信制御プログラムと、設定情報メモリ３１５に記憶されたファクシミリ動作設定情報に基づいて、リモート試験装置２００との間でファクシミリ通信手順に関するデータを送受信して、装置内各部のファクシミリ装置としての動作を制御する。なお、ＣＰＵ３１３は、制御手段として機能する。
【００２５】
プログラムメモリ３１４は、ＣＰＵ３１３において実行されるファクシミリ通信制御プログラム等を記憶する半導体メモリである。設定情報メモリ３１５は、ファクシミリ通信に関わる各種設定情報を記憶する半導体メモリである。
【００２６】
図２に示したファクシミリ装置３０１の内部構成は、製品として通常備えられるものであり、リモート試験装置２００との間でリモート試験を実行する際にのみ必要となる構成は付加されていない。なお、図２に示すリモート試験装置２００は、図１の構成を簡略化して示したものである。
【００２７】
次に、図１及び図２に示したファクシミリ試験システム１００において実行されるファクシミリ試験動作の具体例について、図３に示すシーケンス図を参照して説明する。なお、この試験動作では、リモート試験装置２００は、被試験装置であるファクシミリ装置３０１に対してファクシミリ通信プロトコルにより規定された動作を試験するとともに、ファクシミリ装置３０１内の設定情報メモリ３１５に予め記憶された設定情報に基づく動作を試験するものとする。
【００２８】
また、図３において、リモート試験装置２００は、被試験装置であるファクシミリ装置３０１に対してファクシミリ通信制御信号としてＰＢ信号を送出するが、その信号形態は、ＰＢ信号に限らず、例えば、単一トーン信号、ＨＤＬＣ（High Level Data Link Control）フレーム信号等でも良く、要はファクシミリ装置３０１において認識可能な信号形態であれば良い。
【００２９】
図３に示すシーケンス図では、リモート試験装置２００が被試験装置であるファクシミリ装置３０１に対して着信動作とトーナル信号の送出動作を試験する場合について説明する。また、図３では、主に動作する構成要素として、リモート試験装置２００内のＰＣ２０１及び切換／保護回路２０２ｃと、ファクシミリ装置３０１内のモデム３１２及びＣＰＵ３１３を示す。
【００３０】
リモート試験装置２００内のＰＣ２０１は、ファクシミリ試験プログラムに基づいてファクシミリ試験動作を開始すると、切換制御信号を起動信号発生器２０２内の切換／保護回路２０２ｃに出力して、その接続を疑似交換機２０２ｂに切り換える（ステップＳ３０１）。この切換動作により、疑似交換機２０２ｂは切換／保護回路２０２ｃを介して電話回線Ｌ４に接続される。
【００３１】
次に、ＰＣ２０１は、テストパレット３００に設置された被試験装置であるファクシミリ装置３０１との間の呼を接続するため、着信信号（リンガー信号）の送出指示をダイヤラー２０２ａに出力し、ダイヤラー２０２ａから疑似交換機２０２ｂ及び切換／保護回路２０２ｃを介して着信信号をファクシミリ装置３０１に送出する（ステップＳ３０２）。
【００３２】
ファクシミリ装置３０１内のモデム３１２は、電話回線Ｌ４から着信信号を受信すると、その着信信号を検出して着信検出データをＣＰＵ３１３に出力する（ステップＳ３０３）。ＣＰＵ３１３は、モデム３１２から着信検出データが入力されると、回線接続データをモデム３１２に出力する（ステップＳ３０４）。モデム３１２は、ＣＰＵ３１３から回線接続データが入力されると、回線接続信号をリモート試験装置２００に対して送出する（ステップＳ３０５）。
【００３３】
ＰＣ２０１は、起動信号発生器２０２を介して、ファクシミリ装置３０１から送出された回線接続信号を受信すると、ファクシミリ装置３０１が着信信号に応答したことを認識して、疑似交換機２０２ｂによりファクシミリ装置３０１との間の回線を閉結する。
【００３４】
次に、ＰＣ２０１は、トーナル信号（例えば、ＣＥＤ（called terminal identification）信号）の送出継続時間（指示情報）を含むＰＢ指示信号の送出指示をダイヤラー２０２ａと測定器２０３に出力し、ダイヤラー２０２ａから疑似交換機２０２ｂ及び切換／保護回路２０２ｃを介してＰＢ指示信号をファクシミリ装置３０１に送出する（ステップＳ３０６）。
【００３５】
ファクシミリ装置３０１内のモデム３１２は、電話回線Ｌ４からＰＢ指示信号を受信すると、そのＰＢ指示信号を検出してＰＢ指示データをＣＰＵ３１３に出力する（ステップＳ３０７）。
【００３６】
また、ＰＣ２０１は、ＰＢ指示信号の送出指示を出力した後、切換制御信号を起動信号発生器２０２内の切換／保護回路２０２ｃに出力して、その接続を測定器２０３側に切り換える（ステップＳ３０８）。この動作は、ＰＢ指示信号を送出したファクシミリ装置３０１からの応答信号を測定器２０３において測定するための処理である。
【００３７】
次に、ＣＰＵ３１３は、モデム３１２からＰＢ指示データが入力されると、そのデータを解析して指示内容を認識する。この場合、ＰＢ指示データには、トーナル信号の送出継続時間を設定した送出指示が含まれる。このため、ＣＰＵ３１３は、トーナル信号の送出継続時間を設定した送出指示をモデム３１２に出力する（ステップＳ３０９）。モデム３１２は、ＣＰＵ３１３から入力される送出指示に応じて、トーナル信号（ＣＥＤ信号）をＤＡＡ３１１を介してリモート試験装置２００に送出する動作を継続する（ステップＳ３１０）。この時、ＣＰＵ３１３は、送出継続時間に基づいてトーナル信号（ＣＥＤ信号）の送出時間の経過を待ち、トーナル信号停止指示をモデム３１２に出力する（ステップＳ３１１）。その後、ＣＰＵ３１３は、モデム３１２により電話回線Ｌ４との回線接続を開放する（ステップＳ３１２）。
【００３８】
リモート試験装置２００内の測定器２０３は、ファクシミリ装置３０１から送出されるトーナル信号の受信を開始すると、そのトーナル信号の信号形態（周波数や信号レベル）と、受信が停止するまでの時間等を計測する。この時、測定器２０３は、受信したトーナル信号の信号形態（周波数や信号レベル）が許容範囲に入っているかの判定と、ＰＣ２０１から入力された送出継続時間と実際の測定時間とを比較して、その差分が許容範囲に入っているか等を判定する。
【００３９】
次に、ＰＣ２０１は、測定器２０３におけるトーナル信号の測定時間を待って、次の試験動作に移行するため、切換制御信号を切換／保護回路２０２ｃに出力して、その接続を疑似交換機２０２ｂ側に切り換える（ステップＳ３１３）。この切換動作により、疑似交換機２０２ｂは切換／保護回路２０２ｃを介して電話回線Ｌ４に接続される。
【００４０】
以後、ＰＣ２０１は、ファクシミリ装置３０１に対して次の動作を試験するため、その試験に対応する指示内容を設定したＰＢ指示信号の送出指示をダイヤラー２０２ａに出力する。そして、リモート試験装置２００とファクシミリ装置３０１の間では、上記ステップＳ３０６〜Ｓ３１１と同様の動作が繰り返し実行される。
【００４１】
以上のように、本実施の形態のファクシミリ試験システム１００では、リモート試験装置２００により被試験装置であるファクシミリ装置３０１に対する動作試験及び測定動作が自動的に実行される。
【００４２】
したがって、本実施の形態のファクシミリ試験システムでは、従来のようにファクシミリ装置側で試験項目に応じた人の操作が不要になり、試験用の構成が不要となり、ファクシミリ装置に対する試験動作や測定を自動的に実行できるため、ファクシミリ装置の試験効率を向上することができ、試験コストを低減することができる。
【００４３】
上記試験動作では、リモート試験装置２００とファクシミリ装置３０１との間で実行される一連の試験動作について説明したが、本実施の形態のファクシミリ試験システム１００では、試験を開始する際の動作についても改善している。この試験開始時の動作について、従来の動作と比較しながら、以下に説明する。
【００４４】
図４は、従来のリモート試験装置とファクシミリ装置との間で試験動作を開始する際の動作を示す図である。図４において、ＴＸはリモート試験装置を示し、ＲＸはファクシミリ装置を示す。
【００４５】
図４において、リモート試験装置ＴＸは、ファクシミリ装置ＲＸに対してリンガー信号を１回送出してファクシミリ装置ＲＸとの間の回線を閉結する。この場合、リモート試験装置ＴＸからファクシミリ装置ＲＸに対してリンガー信号を１回送出することにより回線を閉結することが約束されている。
【００４６】
この回線閉結後、ファクシミリ装置ＲＸは、Ｔ１時間（最小０．２秒）経過してから、ＣＥＤ（called terminal identification）信号をＴ２時間（２．６〜４．０秒）、リモート試験装置ＴＸに送出し、続いて、ＤＩＳ（digital identification signal ）信号をリモート試験装置ＴＸに送出する動作を行っていた。
【００４７】
リモート試験装置ＴＸは、ファクシミリ装置ＲＸから送出されるＤＩＳ信号の受信検出を待ってから、試験信号であるＰＢ制御信号の送出を開始する。ファクシミリ装置ＲＸは、リモート試験装置ＴＸから送出されるＰＢ制御信号の受信を検知すると、ＤＩＳ信号の送出を停止する。以後、ファクシミリ装置ＲＸは、ＰＢ制御信号受付音をリモート試験装置ＴＸに送出した後、ＰＢ制御信号に設定された試験内容に応じた動作を行い、その動作を示す応答信号をリモート試験装置ＴＸに送出する。
【００４８】
以上のように従来は、リモート試験装置とファクシミリ装置との間で試験動作を開始する際は、ファクシミリ装置は、回線を閉結してからＰＢ制御信号を受信するまでに、図中のＴ１＋Ｔ２時間、すなわち、最低でも２．８秒間（０．２秒＋２．６秒間）の待機時間が発生していた。この待機時間は、１台のファクシミリ装置を試験する際の全体時間から見れば短い時間である。
【００４９】
しかし、製造ラインでは、数百台から数千台のファクシミリ装置の試験を行う必要があるため、上記待機時間が製造ラインに流れる台数分累積すると、製造工程全体を遅延させる原因となり、ファクシミリ装置の製造コストに影響を与えることになる。
【００５０】
そこで、本実施の形態のファクシミリ試験システムでは、上記待機時間を短縮する試験動作を提案する。この試験動作について、図５を参照して説明する。図５において、ＴＸはリモート試験装置を示し、ＲＸはファクシミリ装置を示す。
【００５１】
図５において、リモート試験装置ＴＸは、ファクシミリ装置ＲＸに対してリンガー信号を１回送出してファクシミリ装置ＲＸとの間の回線を閉結する。この回線閉結後、ファクシミリ装置ＲＸは、ＣＥＤ信号を送出するまでの時間をＴ１時間（例えば、１秒程度）延期し、この延期時間の間にリモート試験装置ＴＸから送出されるＰＢ制御信号を検知するものとする。
【００５２】
リモート試験装置ＴＸは、ファクシミリ装置ＲＸとの間で回線を閉結した後、ファクシミリ装置ＲＸにおいて延期時間が発生することを認識しており、直ちに、ＰＢ制御信号をファクシミリ装置ＲＸに送出する。
【００５３】
ファクシミリ装置ＲＸは、リモート試験装置ＴＸから送出されるＰＢ制御信号の受信を検知すると、ＰＢ制御信号受付音の送出をＴ２時間（０．２秒）行い、ＣＥＤ信号は送出しない。
【００５４】
以上のように、ファクシミリ装置において、回線閉結後にＰＢ制御信号を受け付ける時間を設定し、リモート試験装置がＰＢ制御信号を送出するまでの時間を短縮することにより、上記従来の動作に比べて試験動作時間を数秒程度短縮することが可能になる。
【００５５】
したがって、本実施の形態のファクシミリ試験システムでは、１台毎にファクシミリ装置の試験動作時間を短縮することが可能になるため、製造ラインに流れるファクシミリ装置台数分の試験工程も短縮することが可能になり、試験工程が製造コストに与える影響を低減することができる。
【産業上の利用可能性】
【００５６】
本発明は、被試験装置であるファクシミリ装置側で人の操作が不要で、且つ試験用の特別な装置を必要とせず、ファクシミリ装置に対する動作指示、測定等を自動的に行うので、試験効率の向上と試験コストの低減を図ることができ、ファクシミリ試験システムに適用できる。
【図面の簡単な説明】
【００５７】
【図１】本発明の一実施の形態に係るファクシミリ試験システムの全体構成を示す図
【図２】本実施の形態に係るファクシミリ装置の内部構成を示す図
【図３】本実施の形態に係るファクシミリ試験システムにおいて実行されるファクシミリ試験動作の一例を示すシーケンス図
【図４】従来のファクシミリ試験システムにおける試験開始時の動作を示す図
【図５】本実施の形態に係るファクシミリ試験システムにおける試験開始時の動作を示す図
【符号の説明】
【００５８】
１００  ファクシミリ試験システム
２００  リモート試験装置
２０１  ＰＣ
２０２  起動信号発生器
２０２ａ  ダイヤラー
２０２ｂ  疑似交換機
２０２ｃ  切換／保護回路
２０３  測定器
３００  テストパレット
３１１  ＤＡＡ
３１２  モデム
３１３  ＣＰＵ
３１４  プログラムメモリ
３１５  設定情報メモリ
【図１】
2006270802.tif 000003
【図２】
2006270802.tif 000004
【図３】
2006270802.tif 000005
【図４】
2006270802.tif 000006
【図５】
2006270802.tif 000007